【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
自動販売機ごとに、該自動販売機の設置場所における気象により該自動販売機内の商品の売上が変化するか否かを示す区分情報を記憶する区分情報記憶手段と、
前記各自動販売機内の商品の過去の売上データ、および前記各自動販売機内の商品の在庫数を記憶する売上記憶手段と、
将来の気象を示す予測気象情報を記憶する気象記憶手段と、
前記区分情報記憶手段に記憶された区分情報に従って、気象により商品の売上が変化する設置場所に設置された自動販売機であるか否かを判定する判定手段と、
前記判定手段により、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定手段により、気象により商品の売上が変化しない設置場所に設置された自動販売機であると判定された場合、該自動販売機における商品の売上予測値を、前記売上記憶手段に記憶された過去の売上データに従って算出する売上算出手段と、
前記各自動販売機のそれぞれについて、前記売上算出手段により算出された売上予測値と、前記売上記憶手段に記憶された自動販売機内の商品の在庫数とに従って、該自動販売機に商品を補充する日程を調整する日程調整手段と、
を備えたことを特徴とする自動販売機運用支援装置。
【請求項２】
前記売上算出手段により算出された売上予測値と、前記売上記憶手段に記憶された在庫数とに従って在庫消化率を算出する消化率算出手段を更に備え、
前記日程調整手段は、前記消化率算出手段により算出された在庫消化率に従って、自動販売機に商品を補充する日程を調整することを特徴とする請求項１に記載の自動販売機運用支援装置。
【請求項３】
前記消化率算出手段により算出された在庫消化率が第１の閾値よりも高い自動販売機であるかを判定する第１の閾値判定手段と、
前記日程調整手段は、前記第１の閾値判定手段により、前記消化率算出手段により算出された在庫消化率が第１の閾値よりも高いと判定された自動販売機について、該自動販売機に商品を補充する日程を早めるように調整することを特徴とする請求項２に記載の自動販売機運用支援装置。
【請求項４】
前記消化率算出手段により算出された在庫消化率が第２の閾値よりも低い自動販売機であるかを判定する第２の閾値判定手段と、
前記日程調整手段は、前記消化率算出手段により算出された在庫消化率が第２の閾値よりも低いと判定された自動販売機について、該自動販売機に商品を補充する日程を遅くするように調整することを特徴とする請求項２又は３に記載の自動販売機運用支援装置。
【請求項５】
前記消化率算出手段は、前記売上算出手段により算出された売上予測値を、前記売上記憶手段に記憶された在庫数で除算することにより在庫消化率を算出することを特徴とする請求項２乃至４の何れか１項に記載の自動販売機運用支援装置。
【請求項６】
前記各自動販売機のそれぞれについて、前記自動販売機への商品の補充の実績から推定される、該自動販売機への将来の補充の仮日程を記憶する仮日程記憶手段を更に備え、
前記日程調整手段は、前記各自動販売機のそれぞれについて、前記売上算出手段により算出された売上予測値と、前記売上記憶手段に記憶された自動販売機内の商品の在庫数とに従って、前記仮日程記憶手段に記憶されている該自動販売機への将来の補充の仮日程を調整することにより、該自動販売機に商品を補充する日程を調整することを特徴とする請求項１乃至５の何れか１項に記載の自動販売機運用支援装置。
【請求項７】
前記売上算出手段は、前記判定手段により、気象により商品の売上が変化する設置場所に設置された自動販売機であると判定された場合、該自動販売機における商品の売上予測値を、前記気象記憶手段に記憶された予測気象情報に示される気象と同じ過去の気象の日における、前記売上記憶手段に記憶された過去の売上データに従って算出し、一方、前記判定手段により、気象により商品の売上が変化しない設置場所に設置された自動販売機であると判定された場合、該自動販売機における商品の売上予測値を、前記売上記憶手段に記憶された過去の売上データに従って算出することを特徴とする請求項１乃至６の何れか１項に記載の自動販売機運用支援装置。
【請求項８】
前記自動販売機内の商品が売切れ状態にある期間に売切れでなかった場合に推定される売上データを自動販売機毎に記憶する推定売上記憶手段を更に備え、
前記売上算出手段は、更に、前記売上記憶手段に記憶された過去の売上データに売切れ状態にある期間の売上データが含まれている場合は、前記推定売上記憶手段に記憶された売上データと、前記売上記憶手段に記憶された過去の売上データとに従って、自動販売機における商品の売上予測値を算出することを特徴とする請求項１乃至７の何れかに記載の自動販売機運用支援装置。
【請求項９】
前記自動販売機毎にイベントがある期間を示すイベントデータを記憶するイベント記憶手段と、
前記イベント記憶手段に記憶されたイベントデータに示されるイベントがある期間について、前記売上算出手段により算出された売上予測値を補正する補正手段と、
を更に備え、
前記日程調整手段は、前記各自動販売機のそれぞれについて、前記補正手段により補正された売上予測値と、前記売上記憶手段に記憶された自動販売機内の商品の在庫数とに従って、該自動販売機に商品を補充する日程を調整することを特徴とする請求項１乃至８の何れかに記載の自動販売機運用支援装置。
【請求項１０】
前記売上記憶手段は、更に、前記過去の売上データの曜日を示す曜日情報を記憶し、
前記区分情報記憶手段に記憶されている区分情報は、更に、曜日により自動販売機内の商品の売上が変化するか否かを示す情報を含み、
前記区分情報記憶手段に記憶された区分情報に従って、曜日により商品の売上が変化する設置場所に設置された自動販売機であるか否かを判定する曜日判定手段と、
前記売上算出手段は、曜日判定手段により、曜日により商品の売上が変化する設置場所に設置された自動販売機であると判定された場合、該自動販売機における商品の売上予測値を、前記売上記憶手段に記憶された過去の売上データと、該過去の売上データの曜日情報とに従って算出し、一方、曜日判定手段により、曜日により商品の売上が変化する設置場所に設置された自動販売機ではないと判定された場合、該自動販売機における商品の売上予測値を、前記売上記憶手段に記憶された過去の売上データに従って算出することを特徴とする請求項１乃至９の何れかに記載の自動販売機運用支援装置。
【請求項１１】
自動販売機ごとに、該自動販売機の設置場所における気象により該自動販売機内の商品の売上が変化するか否かを示す区分情報を記憶する区分情報記憶手段と、前記各自動販売機内の商品の過去の売上データ、および前記各自動販売機内の商品の在庫数を記憶する売上記憶手段と、将来の気象を示す予測気象情報を記憶する気象記憶手段と、を備えたコンピュータシステムにより実行される自動販売機運用支援方法であって、
前記区分情報記憶手段に記憶された区分情報に従って、気象により商品の売上が変化する設置場所に設置された自動販売機であるか否かを判定する判定ステップと、
前記判定ステップにより、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定ステップにより、気象により商品の売上が変化しない設置場所に設置された自動販売機であると判定された場合、該自動販売機における商品の売上予測値を、前記売上記憶手段に記憶された過去の売上データに従って算出する売上算出ステップと、
前記各自動販売機のそれぞれについて、前記売上算出ステップにより算出された売上予測値と、前記売上記憶手段に記憶された自動販売機内の商品の在庫数とに従って、該自動販売機に商品を補充する日程を調整する日程調整ステップと、
を備えたことを特徴とする自動販売機運用支援方法。
【請求項１２】
自動販売機ごとに、該自動販売機の設置場所における気象により該自動販売機内の商品の売上が変化するか否かを示す区分情報を記憶する区分情報記憶手段と、前記各自動販売機内の商品の過去の売上データ、および前記各自動販売機内の商品の在庫数を記憶する売上記憶手段と、将来の気象を示す予測気象情報を記憶する気象記憶手段と、を備えたコンピュータシステムに自動販売機運用支援方法を実行させるプログラムであって、該方法は、
前記区分情報記憶手段に記憶された区分情報に従って、気象により商品の売上が変化する設置場所に設置された自動販売機であるか否かを判定する判定ステップと、
前記判定ステップにより、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定ステップにより、気象により商品の売上が変化しない設置場所に設置された自動販売機であると判定された場合、該自動販売機における商品の売上予測値を、前記売上記憶手段に記憶された過去の売上データに従って算出する売上算出ステップと、
前記各自動販売機のそれぞれについて、前記売上算出ステップにより算出された売上予測値と、前記売上記憶手段に記憶された自動販売機内の商品の在庫数とに従って、該自動販売機に商品を補充する日程を調整する日程調整ステップと、
を備えたことを特徴とするプログラム。
【手続補正２】
【補正対象書類名】明細書
【補正対象項目名】０００８
【補正方法】変更
【補正の内容】
【０００８】
本発明は、気象により商品の売上が変化する設置場所に設置された自動販売機であるかを判定し、気象により商品の売上が変化する設置場所に設置された自動販売機であると判定された自動販売機については、該自動販売機における商品の売上予測値を、過去の売上データと、予測された気象とに従って算出し、一方、気象により商品の売上が変化しない設置場所に設置された自動販売機であると判定された自動販売機については、該自動販売機における商品の売上予測値を、過去の売上データに従って算出し、算出された売上予測値と、自動販売機内の商品の在庫数と、に従って、該自動販売機に商品を補充する日程を調整することにより、ルートマンが効率的に商品を補充すべき自動販売機を見出すことを目的とする。
【手続補正３】
【補正対象書類名】明細書
【補正対象項目名】０００９
【補正方法】変更
【補正の内容】
【０００９】
本発明は、自動販売機ごとに、該自動販売機の設置場所における気象により該自動販売機内の商品の売上が変化するか否かを示す区分情報を記憶する区分情報記憶手段と、前記各自動販売機内の商品の過去の売上データ、および前記各自動販売機内の商品の在庫数を記憶する売上記憶手段と、将来の気象を示す予測気象情報を記憶する気象記憶手段と、前記区分情報記憶手段に記憶された区分情報に従って、気象により商品の売上が変化する設置場所に設置された自動販売機であるか否かを判定する判定手段と、前記判定手段により、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定手段により、気象により商品の売上が変化しない設置場所に設置された自動販売機であると判定された場合、該自動販売機における商品の売上予測値を、前記売上記憶手段に記憶された過去の売上データに従って算出する売上算出手段と、前記各自動販売機のそれぞれについて、前記売上算出手段により算出された売上予測値と、前記売上記憶手段に記憶された自動販売機内の商品の在庫数とに従って、該自動販売機に商品を補充する日程を調整する日程調整手段と、を備えたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
また、本発明は、自動販売機ごとに、該自動販売機の設置場所における気象により該自動販売機内の商品の売上が変化するか否かを示す区分情報を記憶する区分情報記憶手段と、前記各自動販売機内の商品の過去の売上データ、および前記各自動販売機内の商品の在庫数を記憶する売上記憶手段と、将来の気象を示す予測気象情報を記憶する気象記憶手段と、を備えたコンピュータシステムにより実行される自動販売機運用支援方法であって、前記区分情報記憶手段に記憶された区分情報に従って、気象により商品の売上が変化する設置場所に設置された自動販売機であるか否かを判定する判定ステップと、前記判定ステップにより、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定ステップにより、気象により商品の売上が変化しない設置場所に設置された自動販売機であると判定された場合、該自動販売機における商品の売上予測値を、前記売上記憶手段に記憶された過去の売上データに従って算出する売上算出ステップと、前記各自動販売機のそれぞれについて、前記売上算出ステップにより算出された売上予測値と、前記売上記憶手段に記憶された自動販売機内の商品の在庫数とに従って、該自動販売機に商品を補充する日程を調整する日程調整ステップと、を備えたことを特徴とする。
【手続補正１１】
【補正対象書類名】明細書
【補正対象項目名】００１７
【補正方法】変更
【補正の内容】
【００１７】
また、本発明は、自動販売機ごとに、該自動販売機の設置場所における気象により該自動販売機内の商品の売上が変化するか否かを示す区分情報を記憶する区分情報記憶手段と、前記各自動販売機内の商品の過去の売上データ、および前記各自動販売機内の商品の在庫数を記憶する売上記憶手段と、将来の気象を示す予測気象情報を記憶する気象記憶手段と、を備えたコンピュータシステムに自動販売機運用支援方法を実行させるプログラムであって、該方法は、前記区分情報記憶手段に記憶された区分情報に従って、気象により商品の売上が変化する設置場所に設置された自動販売機であるか否かを判定する判定ステップと、前記判定ステップにより、気象により商品の売上が変化する設置場所に設置された自動販売機であると判定された場合、該自動販売機における商品の売上予測値を、前記売上記憶手段に記憶された過去の売上データと、前記気象記憶手段に記憶された予測気象情報とに従って算出し、一方、前記判定ステップにより、気象により商品の売上が変化しない設置場所に設置された自動販売機であると判定された場合、該自動販売機における商品の売上予測値を、前記売上記憶手段に記憶された過去の売上データに従って算出する売上算出ステップと、前記各自動販売機のそれぞれについて、前記売上算出ステップにより算出された売上予測値と、前記売上記憶手段に記憶された自動販売機内の商品の在庫数とに従って、該自動販売機に商品を補充する日程を調整する日程調整ステップと、を備えたことを特徴とする。
【手続補正１２】
【補正対象書類名】明細書
【補正対象項目名】００１８
【補正方法】変更
【補正の内容】
【００１８】
本発明によれば、気象により商品の売上が変化する設置場所に設置された自動販売機であるかを判定し、気象により商品の売上が変化する設置場所に設置された自動販売機であると判定された自動販売機については、該自動販売機における商品の売上予測値を、過去の売上データと、予測された気象とに従って算出し、一方、気象により商品の売上が変化しない設置場所に設置された自動販売機であると判定された自動販売機については、該自動販売機における商品の売上予測値を、過去の売上データに従って算出し、算出された売上予測値と、自動販売機内の商品の在庫数と、に従って、該自動販売機に商品を補充する日程を調整することにより、ルートマンが効率的に商品を補充すべき自動販売機を見出すことができる。